(57)【特許請求の範囲】
【請求項１】
インターネットに接続された投票会員のＷｅｂブラウザ付パソコンと、インターネット対応各社携帯電話網に接続可能な会員のインターネット対応各社携帯電話と、金融機関等の電子マネーシステムセンタと、競馬場内外発信端末群と通信回線で接続され、集計した投票データの計算センタ及び情報センタからなる総合センタと、その総合センタのバックアップセンタとから構成された電話回線経由投票システムにおいて、
前記電話回線経由投票システムは、Ｗｅｂブラウザ付パソコンの会員端末からインターネットを経由して入力する投票依頼信号或は電子マネー決済指令信号に応答するパソコン応答サブシステムと、インターネット対応各社携帯電話の会員端末からそれぞれインターネット対応各社携帯電話のインターネット回線網を経由して入力する投票依頼信号或は電子マネー決済指令信号に応答する各社携帯電話応答サブシステムと、応答サブシステムからの電子マネー決済に応答してインターネットを介して電子マネーシステムセンタと交信し暗証番号により電子マネーを確認し加入者管理ファイルを更新し、ロック口座に加算した電子マネーを資金として投票処理がそれぞれの応答サブシステムで可能にさせる電子マネー決済サブシステムと、応答サブシステムと電子マネー決済サブシステムを中継する中継サーバと総合運用監視装置とから構成され、
前記応答サブシステムは、それぞれ投票応答コンピュータとファイアウォール、Ｗｅｂサーバを備え、
前記投票応答コンピュータはそれぞれ会員端末からの入力信号が投票依頼か電子マネー決済かを判別して投票依頼の場合は投票情報データに基づいて総合センタと交信し、投票受付処理、投票に関する各種情報照会処理を開始し、結果データを会員端末へ報告返信する投票応答手段と、
会員端末からの入力信号が電子マネー決済である場合は中継サーバを介して電子マネー情報データを電子マネー決済サブシステムへ出力して加算処理させる電子マネー決済応答手段と、
前記電子マネー決済サブシステムにおいて電子マネーをロック口座に加算処理を記録した加入者管理ファイルの更新結果をその決済サブシステムから中継サーバを介して入力し、会員端末へ送信しそのデータを表示確認させる加入者管理ファイル更新データ送信表示手段とを備え、
前記電子マネー決済サブシステムの決済コンピュータはそのデータベースにロック口座、電子マネー決済データ、電子マネー残高を記録する加入者管理ファイルを設け、応答コンピュータからの電子マネー情報データを入力してそのデータの暗証番号によりインターネットを介して電子マネーシステムセンタから配信された支払拒絶リストを含む認証情報により電子マネーを照会確認する電子マネー確認手段と、電子マネー利用可能額を確認すれば加入者管理ファイルのロック口座残高に電子マネーを加算更新しその処理結果を応答コンピュータへ中継サーバを介して出力するロック口座更新手段とを備えることを特徴とする電子マネー決済機能を有する電話回線経由投票システム。
【請求項２】
インターネットに接続された投票会員のＷｅｂブラウザ付パソコンと、インターネット対応各社携帯電話網に接続可能な会員のインターネット対応各社携帯電話と、金融機関等の電子マネーシステムセンタと、競馬場内外発信端末群と通信回線で接続され、集計した投票データの計算センタ及び情報センタからなる総合センタと、その総合センタのバックアップセンタとから構成された電話回線経由投票システムにおいて、
前記電話回線経由投票システムは会員のＷｅｂブラウザ付パソコンの会員端末からインターネットを経由して入力する信号に応答するパソコン応答サブシステムと、会員のインターネット対応各社携帯電話の会員端末からそれぞれインターネット対応各社携帯電話のインターネット回線網を経由して入力する信号に応答する各社携帯電話応答サブシステムと、応答サブシステムからの電子マネー決済に応答してインターネットを介して電子マネーシステムセンタと交信し、暗証番号により電子マネーを確認し加入者管理ファイルを更新し、ロック口座に加算した電子マネーにより投票処理がそれぞれ応答サブシステムで可能にさせる電子マネー決済サブシステムと中継サーバと総合運用監視装置とから構成され、
前記応答サブシステムは、それぞれ投票応答コンピュータとファイアウォールとＷｅｂサーバとを備え、
前記投票応答コンピュータはそれぞれ会員端末からの入力信号を受信して、その投票依頼入力データに電子マネー加算データと暗証番号が含まれていれば、それらのデータとさらに会員的中金額があればそのデータを電子マネー決済サブシステムへ中継し、電子マネーＩＤ、暗証番号がなければ現在のロック口座により投票を行うと判定して総合センタと交信し投票処理を行う電子マネー加算データ中継／投票データ処理手段と、
電子マネー決済サブシステムにおいて電子マネーとロック口座に加算処理を記録した加入者管理ファイルの更新結果をその決済サブシステムから中継サーバを介して入力し会員端末へ送信し表示すると共に、その加算処理したロック口座による投票データを総合センタへ送信し投票処理を行う更新加入者管理ファイル送信・表示・投票データ処理手段を備え、
前記電子マネー決済サブシステムの決済コンピュータは、そのデータベースに加入者のロック口座、電子マネー残高を記録する加入者管理ファイルを設け、応答コンピュータからの電子マネー情報データと会員的中金額があればそのデータとを入力して、会員的中金額は開催１節後ロック口座に振込処理し、次に電子マネーＩＤ、暗証番号などの電子マネー決済データにより電子マネーシステムセンタから配信された支払拒絶リストを含む認証情報により電子マネーを照会確認する電子マネー確認手段と、
照会確認すれば加入者管理ファイルのロック口座残高に電子マネーを加算更新し、その処理結果を応答コンピュータへ中継サーバを介して出力するロック口座更新手段を備えることを特徴とする電子マネー決済機能を有する電話回線経由投票システム。
【発明の詳細な説明】
【０００１】
【発明の属する技術分野】
本発明は競馬開催日に預金の引出・振込ができない契約がなされた金融機関の指定口座であるロック口座に投票資金を予め預金することにより勝馬投票を行なう会員制の加入者が操作を行うＷｅｂブラウザを有するパソコン、インターネット対応の各社携帯電話の各会員端末からそれぞれ対応するインターネットを経由して勝馬投票を行うシステムにおいて、競馬開催日であっても、電子マネー決済機能を有し、現在のロック口座残高に電子マネーを加算して投票を行うことができる電子マネー決済機能を有する電話回線経由投票システムに関する。
【０００２】
【従来の技術】
従来の電話回線による投票システムを図７に基づいて説明する。前述のような競馬開催日（土・日曜日）に現金の引出・振込ができない投票券購入資金専用のロック口座に投票資金を予め預金してインターネット２１，２２を介して勝馬投票が行える会員制の投票システム１００を図７の中段に実施例として示してある。
【０００３】
この電話回線経由投票システム１００は、２つのサブシステム１０１，１０２からなる。
【０００４】
１０１は、会員のＷｅｂブラウザ付パソコン３１，３１からインターネット２１を介するアクセス信号に応答するパソコン応答サブシステムである。１０１は、ファイアウォール１０１ａ、Ｗｅｂサーバ１０１ｂ、投票・情報照会応答コンピュータ１０１ｃからなる。
【０００５】
１０２は、会員のインターネット対応携帯電話３２，３２からそれら各社インターネット対応携帯電話網２２を介するアクセス信号に応答する各社携帯電話応答サブシステムである。１０２も、ファイアウォール１０２ａ、Ｗｅｂサーバ１０２ｂ、投票・情報照会応答コンピュータ１０２ｃからなる。
【０００６】
さらに、それらを総合する運用監視装置１０５を備える。
【０００７】
これらの応答サブシステム１０１，１０２は図７に示すように全ての競馬場内外発信端末群６０から（電話回線経由投票データも含まれる）その投票データを収集する計算センタ及びその開催地／出馬表／オッズ情報／各案内を蓄積した情報センタからなる総合センタ４０とそのバックアップセンタ５０１を専用回線で接続し、投票データ申込処理及び各種情報照会処理を行っていた。
【０００８】
これらのサブシステムからなる投票システム１００はそれぞれ各種の障害に応答してシステムダウンとならないように、２系統或は冗長構成とされ、さらにファイアウォールを複数段備えて開催日当日の稼動中の高信頼性が確実に維持されるようにしていた。この投票システムによれば、競馬場又は投票券発売センターに出向かなくても、自宅などの遠隔地から勝馬投票を行なうことができる利便性があった。
【０００９】
しかしながら、その投票システム１００には以下のような問題点があった。すなわち、開催日（土・日曜日）に口座への預金の引出し・振込ができなため、予め開催日の前日までに勝馬投票資金を振り込んでおかねばならない。このため、開催日の土曜日又は日曜日にロック口座残高が少ないと希望の勝馬投票ができない問題が多く発生していた。
【００１０】
【発明が解決しようとする課題】
本発明は前述した点に鑑みてなされたものであり、その目的とするところは、電話回線経由投票会員に対するサービス機能の一つとして、従来の投票システムにおいて、インターネットを介して投票する会員がその会員端末から投票依頼申込を行うに際して、開催日すなわち土曜日・日曜日において、ロック口座に残高がないか、少ない場合であってもそのロック口座に電子マネーにより追加し残高を増加させることができる手段を備える電子マネー決済機能を有する電話回線経由投票システムを提供する。
【００１１】
【課題を解決するための手段】
前記課題を解決するため、本発明の電子マネー決済機能を有する電話回線経由投票システムは、インターネットに接続された投票会員のＷｅｂブラウザ付パソコンと、インターネット対応各社携帯電話網に接続可能な会員のインターネット対応各社携帯電話と、金融機関等の電子マネーシステムセンタと、競馬場内外発信端末群と通信回線で接続され、集計した投票データの計算センタ及び情報センタからなる総合センタと、その総合センタのバックアップセンタとから構成された電話回線経由投票システムにおいて、
前記電話回線経由投票システムは、Ｗｅｂブラウザ付パソコンの会員端末からインターネットを経由して入力する投票依頼信号或は電子マネー決済指令信号に応答するパソコン応答サブシステムと、インターネット対応各社携帯電話の会員端末からそれぞれインターネット対応各社携帯電話のインターネット回線網を経由して入力する投票依頼信号或は電子マネー決済指令信号に応答する各社携帯電話応答サブシステムと、応答サブシステムからの電子マネー決済に応答してインターネットを介して電子マネーシステムセンタと交信し暗証番号により電子マネーを確認し加入者管理ファイルを更新し、ロック口座に加算した電子マネーを資金として投票処理がそれぞれの応答サブシステムで可能にさせる電子マネー決済サブシステムと、応答サブシステムと電子マネー決済サブシステムを中継する中継サーバと総合運用監視装置とから構成され、
前記応答サブシステムは、それぞれ投票応答コンピュータとファイアウォール、Ｗｅｂサーバを備え、
前記投票応答コンピュータはそれぞれ会員端末からの入力信号が投票依頼か電子マネー決済かを判別して投票依頼の場合は投票情報データに基づいて総合センタと交信し、投票受付処理、投票に関する各種情報照会処理を開始し、結果データを会員端末へ報告返信する投票応答手段と、
会員端末からの入力信号が電子マネー決済である場合は中継サーバを介して電子マネー情報データを電子マネー決済サブシステムへ出力して加算処理させる電子マネー決済応答手段と、
前記電子マネー決済サブシステムにおいて電子マネーをロック口座に加算処理を記録した加入者管理ファイルの更新結果をその決済サブシステムから中継サーバを介して入力し、会員端末へ送信しそのデータを表示確認させる加入者管理ファイル更新データ送信表示手段とを備え、
前記電子マネー決済サブシステムの決済コンピュータはそのデータベースにロック口座、電子マネー決済データ、電子マネー残高を記録する加入者管理ファイルを設け、応答コンピュータからの電子マネー情報データを入力してそのデータの暗証番号によりインターネットを介して電子マネーシステムセンタから配信された支払拒絶リストを含む認証情報により電子マネーを照会確認する電子マネー確認手段と、電子マネー利用可能額を確認すれば加入者管理ファイルのロック口座残高に電子マネーを加算更新しその処理結果を応答コンピュータへ中継サーバを介して出力するロック口座更新手段とを備えることを特徴とする。
【００１３】
また、インターネットに接続された投票会員のＷｅｂブラウザ付パソコンと、インターネット対応各社携帯電話網に接続可能な会員のインターネット対応各社携帯電話と、金融機関等の電子マネーシステムセンタと、競馬場内外発信端末群と通信回線で接続され、集計した投票データの計算センタ及び情報センタからなる総合センタと、その総合センタのバックアップセンタとから構成された電話回線経由投票システムにおいて、
前記電話回線経由投票システムは会員のＷｅｂブラウザ付パソコンの会員端末からインターネットを経由して入力する信号に応答するパソコン応答サブシステムと、会員のインターネット対応各社携帯電話の会員端末からそれぞれインターネット対応各社携帯電話のインターネット回線網を経由して入力する信号に応答する各社携帯電話応答サブシステムと、応答サブシステムからの電子マネー決済に応答してインターネットを介して電子マネーシステムセンタと交信し、暗証番号により電子マネーを確認し加入者管理ファイルを更新し、ロック口座に加算した電子マネーにより投票処理がそれぞれ応答サブシステムで可能にさせる電子マネー決済サブシステムと中継サーバと総合運用監視装置とから構成され、
前記応答サブシステムは、それぞれ投票応答コンピュータとファイアウォールとＷｅｂサーバとを備え、
前記投票応答コンピュータはそれぞれ会員端末からの入力信号を受信して、その投票依頼入力データに電子マネー加算データと暗証番号が含まれていれば、それらのデータとさらに会員的中金額があればそのデータを電子マネー決済サブシステムへ中継し、電子マネーＩＤ、暗証番号がなければ現在のロック口座により投票を行うと判定して総合センタと交信し投票処理を行う電子マネー加算データ中継／投票データ処理手段と、
電子マネー決済サブシステムにおいて電子マネーとロック口座に加算処理を記録した加入者管理ファイルの更新結果をその決済サブシステムから中継サーバを介して入力し会員端末へ送信し表示すると共に、その加算処理したロック口座による投票データを総合センタへ送信し投票処理を行う更新加入者管理ファイル送信・表示・投票データ処理手段を備え、
前記電子マネー決済サブシステムの決済コンピュータは、そのデータベースに加入者のロック口座、電子マネー残高を記録する加入者管理ファイルを設け、応答コンピュータからの電子マネー情報データと会員的中金額があればそのデータとを入力して、会員的中金額は開催１節後ロック口座に振込処理し、次に電子マネーＩＤ、暗証番号などの電子マネー決済データにより電子マネーシステムセンタから配信された支払拒絶リストを含む認証情報により電子マネーを照会確認する電子マネー確認手段と、
照会確認すれば加入者管理ファイルのロック口座残高に電子マネーを加算更新し、その処理結果を応答コンピュータへ中継サーバを介して出力するロック口座更新手段を備えることを特徴とする。
【００１５】
【発明の実施の形態】
本発明の実施の形態を以下図に基づいて説明する。
【００１６】
図１は本発明の電子マネー決済機能を有する電話回線経由投票システムの第１の実施の形態の構成の説明図を示す。
図１において、１０は第１の実施の形態の電話回線経由投票システム、３１は電話回線による投票会員のＷｅｂブラウザ付パソコン、３２は会員のインターネット対応各社携帯電話、９０は金融機関等の電子マネーシステムセンタ、４０は集計した投票データの計算センタ及び情報センタからなる総合センタ、５０はその総合センタのバックアップセンタ、６０は競馬場内外発信端末群を示す。また、２１はインターネット、２２はインターネット対応各社携帯電話網を示す。
【００１７】
投票システム１０は会員のＷｅｂブラウザ付パソコン３１，３１の会員端末からインターネット２１を経由して入力する投票依頼信号或は電子マネー決済指令信号に応答するパソコン応答サブシステム１１と、会員のインターネット対応各社携帯電話３２，３２の会員端末からそれぞれインターネット対応各社携帯電話のインターネット回線網２２を経由して入力する投票依頼信号或は電子マネー決済指令信号に応答する各社携帯電話応答サブシステム１２と、応答サブシステム１１，１２からの電子マネー決済に応答してインターネット２１を介して電子マネーシステムセンタ９０と交信し暗証番号により電子マネーを確認し加入者管理ファイル１９ｚを更新し、ロック口座に加算した電子マネーを資金として投票処理がそれぞれ応答サブシステム１１，１２で可能にさせる電子マネー決済サブシステム１９と、サブシステム１１，１２とサブシステム１９を中継する中継サーバ１８と総合運用監視装置１５とから構成される。
【００１８】
次に、応答サブシステム１１，１２はそれぞれ投票応答コンピュータ１１ｃ，１２ｃとファイアウォール１１ａ，１２ｂ、Ｗｅｂサーバ１１ｂ，１２ｂからなる。
【００１９】
投票応答コンピュータ１１ｃ，１２ｃはそれぞれ会員端末３１，３２からの入力信号が投票依頼か電子マネー決済かを判別して投票依頼の場合は投票情報データに基づいて総合センタ４０と交信し、投票受付処理、投票に関する各種情報照会処理を開始し、結果データを会員端末へ報告返信する投票応答手段１１ｘ，１２ｘを備える。
【００２０】
また、会員端末３１，３２からの入力信号が電子マネー決済である場合は中継サーバ１８を介して電子マネー情報データを電子マネー決済サブシステム１９へ出力して加算処理させる電子マネー決済応答手段１１ｙ，１２ｙを備える。
【００２１】
また、電子マネー決済サブシステム１９において電子マネーをロック口座に加算処理を記録した加入者管理ファイル１９ｚの更新結果をその決済サブシステム１９から中継サーバを介して入力し、会員端末へ送信しそのデータを表示確認させる加入者管理ファイル更新データ送信表示手段１１ｚ，１２ｚを備える。
【００２２】
一方、電子マネー決済サブシステム１９の決済コンピュータ１９ｃはそのデータベース１９ｄにロック口座、電子マネー決済データ、電子マネー残高を記録する加入者管理ファイル１９ｚを設け、応答コンピュータ１１，１２からの電子マネー情報データを入力してそのデータの暗証番号によりインターネット２１を介して電子マネーシステムセンタ９０から配信された支払拒絶リストを含む認証情報により電子マネーを照会確認する電子マネー確認手段１９ｘを備える。
【００２３】
また、電子マネー利用可能額を確認すれば加入者管理ファイルのロック口座残高に電子マネーを加算更新しその処理結果を応答コンピュータ１１ｃ又は１２ｃへ中継サーバを介して出力するロック口座更新手段１１ｚ，１２ｚを備える。
【００２４】
次に、図２に本発明の電子マネー決済機能を有する電話回線経由投票システムの第２の実施の形態の構成の説明図を示す。
図２において、１０′は第２の実施の形態の電話回線経由投票システムを示す。なお、図１と同じ符号番号は同一の機能を示し、それらの説明は省略する。
【００２５】
投票システム１０′は会員のＷｅｂブラウザ付パソコン３１，３１の会員端末からインターネット２１を経由して入力する信号に応答するパソコン応答サブシステム１１′と、会員のインターネット対応各社携帯電話３２，３２の会員端末からそれぞれインターネット対応各社携帯電話のインターネット回線網２２を経由して入力する信号に応答する各社携帯電話応答サブシステム１２′と、応答サブシステム１１゛，１２′からの電子マネー決済に応答してインターネット２１を介して電子マネーシステムセンタ９０と交信し、暗証番号により電子マネーを確認し加入者管理ファイル１９′ｚを更新し、ロック口座に加算した電子マネーにより投票処理がそれぞれ応答サブシステム１１′，１２′で可能にさせる電子マネー決済サブシステム１９′と中継サーバ１８′と総合運用監視装置１５′とから構成される。
【００２６】
次に、応答サブシステム１１′，１２′の投票応答コンピュータ１１′ｃ，１２′ｃの詳細を以下に説明する。
【００２７】
投票応答コンピュータ１１′ｃ，１２′ｃはそれぞれ会員端末３１，３２からの入力信号を受信して、その投票依頼入力データに電子マネー加算データと暗証番号が含まれていれば、それらのデータとさらに会員的中金額があればそのデータを電子マネー決済サブシステム１９′へ中継し、電子マネーＩＤ、暗証番号がなければ現在のロック口座により投票を行うと判定して総合センタ４０と交信し投票処理を行う電子マネー加算データ中継／投票データ処理手段１１′ｘを備える。
【００２８】
また、電子マネー決済サブシステム１９′において電子マネーとロック口座に加算処理を記録した加入者管理ファイル１９′ｚの更新結果をその決済サブシステム１９′から中継サーバ１８′を介して入力し会員端末へ送信し表示すると共に、その加算処理したロック口座による投票データを総合センタ４０へ送信し投票処理を行う更新加入者管理ファイル送信・表示・投票データ処理手段１１′ｙ，１２′ｙを備える。
【００２９】
また、電子マネー決済サブシステム１９′の決済コンピュータ１９′ｃは、そのデータベース１９′ｄは加入者のロック口座、電子マネー残高を記録する加入者管理ファイル１９′ｚを設け、応答コンピュータ１１′ｃ，１２′ｃからの電子マネー情報データと会員的中金額があればそのデータとを入力して、会員的中金額は開催１節後ロック口座に振込処理し、次に電子マネーＩＤ、暗証番号などの電子マネー決済データにより電子マネーシステムセンタ９０から配信された支払拒絶リストを含む認証情報により電子マネーを照会確認する電子マネー確認手段１９′ｘを備える。
【００３０】
また、照会確認すれば加入者管理ファイル１９′ｚのロック口座残高に電子マネーを加算更新し、その処理結果を応答コンピュータ１１′ｃ，１２′ｃへ中継サーバを介して出力するロック口座更新手段を備える。
【００３１】
次に、第１の実施の形態（図１）の電話回線経由投票システム１０の動作の流れを図３に基づいて説明する。
【００３２】
ここで、Ｓ３２は電子マネー決済応答手段１１ｙ、Ｓ３３は電子マネー確認手段１９ｘ、Ｓ３４はロック口座更新手段１９ｙ、Ｓ３５は更新データ送信表示手段１１ｚ、Ｓ３７は投票応答手段１１ｘである。
【００３３】
次に、第２の実施の形態（図２）の電話回線による投票システム１０′の動作の流れを図４に基づいて説明する。
【００３４】
ここで、Ｓ４２は電子マネー加算データ中継／投票データ処理手段１１′ｘを示す。Ｓ４３は電子マネー確認手段１９′ｘを示す。Ｓ４４はロック口座更新手段１９′ｘを示す。Ｓ４５は更新加入者管理ファイル送信・表示・投票データ処理手段１１′ｙを示す。
【００３５】
なお、図５には第１の実施の形態の場合の会員端末３１，３２のロック口座の照会・入金処理画面のイメージを示す。ロック口座の残高は自動的に画面に××円と表示される。次に電子マネーからロック口座へ入金額○○円と入力し、電子マネーからロック口座への入金ボタンを押せば電子マネー決済処理される。
【００３６】
次の図６には第２の実施の形態の場合の会員端末３１，３２の照会処理／投票処理画面のイメージを示す。照会処理では現在までの電子マネーとロック口座それぞれでの購入額及びロック口座からの投票可能残高を表示した例を示す。投票処理では３種の処理ボタンにより購入方法を選択できる。
【００３７】
尚、加入者管理ファイル１９ｚを決済コンピュータ１９ｃに設けて説明したが総合センター４０に設けても良い。
【００３８】
【発明の効果】
本発明の電子マネー決済機能を有する電話回線経由投票システムは以下に示す効果を奏する。
【００３９】
すなわち、電子マネー決済機能を有する電話回線による投票システムは競馬場開催日（土・日曜日）において、ロック口座残高が無いか或は投票に必要とする金額が不足のときでも、電子マネーにより投票資金を追加することができる。このため、何時でも会員端末の画面からロック口座残高、電子マネー残高を確認しながら電話回線経由勝馬投票を行うことができる。
【図面の簡単な説明】
【図１】本発明の電話回線経由投票システムの第１の実施の形態の説明図である。
【図２】本発明の電話回線経由投票システムの第２の実施の形態の説明図である。
【図３】本発明の第１の実施の形態の流れ図である。
【図４】本発明の第２の実施の形態の流れ図である。
【図５】本発明の第１の実施の形態の会員端末の照会／入金画面イメージである。
【図６】本発明の第２の実施の形態の会員端末の照会／投票画面イメージである。
【図７】従来の電話回線経由投票システムの説明図である。
【符号の説明】
１０，１０′        電話回線経由投票システムの第１及び第２の実施の形態
１１，１１′        パソコン応答サブシステム
１２，１２′        各社携帯電話応答サブシステム
１９，１９′        電子マネー決済サブシステム
１１ａ，１１′ａ，１２ａ，１２′ａ，１９ａ，１９′ａ    ファイアウォール
１１ｂ，１１′ｂ，１２ｂ，１２′ｂ，１９ｂ，１９′ｂ    Ｗｅｂサーバ
１１ｃ，１１′ｃ，１２ｃ，１２′ｃ    投票応答コンピュータ
１１ｘ，１２ｘ      投票応答手段
１１ｙ，１２ｙ      電子マネー決済応答手段
１１ｚ，１２ｚ      更新データ送信表示手段
１１′ｘ，１２′ｘ  電子マネー加算データ中継／投票データ処理手段
１１′ｙ，１２′ｙ  更新加入者管理ファイル送信・表示・投票データ処理手段
１５，１５′        総合運用監視装置
１８，１８′        中継サーバ
１９ｃ，１９′ｃ    決済コンピュータ
１９ｄ，１９′ｄ    データベース
１９ｘ，１９′ｘ    電子マネー確認手段
１９ｙ，１９′ｙ    ロック口座更新手段
１９ｚ，１９′ｚ    加入者管理ファイル
２１                インターネット
２２                インターネット対応各社携帯電話網
３１                会員のＷｅｂブラウザ付パソコン
３２                会員のインターネット対応各社携帯電話
３１ａ，３２ａ      電子マネー残高
３１ｂ，３１ｂ      ロック口座残高
４０                総合センタ
５０                バックアップセンタ
６０                競馬場内外発信端末群
９０                電子マネーシステムセンタ
【図１】
0003643885.tif 000002
【図２】
0003643885.tif 000003
【図３】
0003643885.tif 000004
【図４】
0003643885.tif 000005
【図５】
0003643885.tif 000006
【図６】
0003643885.tif 000007
【図７】
0003643885.tif 000008